(57)【要約】【課題】  絶縁性を確実に確保しつつ、容易に曲げることができるようにしたフレキシブル基板を提供する。【解決手段】  本フレキシブル基板は、電子部品４を実装する境域の実装部５と、電子部品４を実装しない境域の絶縁部６とが連続して一体に形成され、前記実装部５と絶縁部６との境界線８で曲げられるようにされている。そして、前記実装部５は導電層と絶縁層との積層体からなり、前記絶縁部６は絶縁層のみの単層からなることを特徴としている。【選択図】  図１
2006013275.tif 000002
【特許請求の範囲】
【請求項１】
電子部品を実装する境域の実装部と、該電子部品を実装しない境域の絶縁部とが連続して一体に形成され、前記絶縁部が前記実装部に実装された電子部品を覆うように前記実装部と前記絶縁部との境界線で曲げられるフレキシブル基板をケース内に収納した電子機器であって、
前記フレキシブル基板の前記実装部が導電層と絶縁層との積層体からなり、前記絶縁部が絶縁層のみの単層からなることを特徴とする電子機器。
【請求項２】
電子部品を実装する境域の実装部と、電子部品を実装しない境域の絶縁部とが連続して一体に形成され、前記絶縁部が前記実装部に実装された電子部品を覆うように前記実装部と前記絶縁部との境界線で曲げられるフレキシブル基板であって、
前記実装部が導電層と絶縁層との積層体からなり、前記絶縁部が絶縁層のみの単層からなることを特徴とする電子機器に用いるフレキシブル基板。
【発明の詳細な説明】
【技術分野】
【０００１】
本発明は、電子機器およびこの電子機器のケース内に収納したフレキシブル基板に関し、詳しくは、大電流・高電圧ラインがフレキシブル基板に実装された電子部品の近くを通過するようにレイアウトされるストロボ装置などの電子機器と、当該フレキシブル基板に関する。
【背景技術】
【０００２】
ストロボ装置などの各種電子機器は、小型化を図るため、多数の電子部品がフレキシブル基板に高密度実装されている。このため、例えば、ストロボ駆動用の大電流・高電圧ラインが、フレキシブル基板に実装された電子部品の近くを通過するようにレイアウトされることがある。すると、大電流・高電圧ラインを流れる電流が、電子部品や信号ラインへショートするおそれがあり、誤動作を引き起こすことがあるだけでなく、電子部品の短命化をもたらせることがある。
【０００３】
そこで、電子部品の高密度実装を図りつつ、電子部品や信号ラインが大電流・高電圧ラインからの影響を受けないようにしたフレキシブル基板が特許文献１に開示されている。このフレキシブル基板には、電子部品を実装する境域の一端側に、狭い幅の頸部を介してヒレ部が設けられている。ヒレ部の表面には、一対のテストランド部が設けられ、ヒレ部の裏面には、シールド機能を有するローインピーダンス層としてのグランドパターンが全面に形成されている。
【０００４】
そして、テストランドにテストピンを接触させることにより、クロック信号を検査し、検査の終了後に頸部が折り曲げられ、ヒレ部が境域上の電子部品を覆うようにして、カメラ本体内に収納される。したがって、フレキシブル基板の境域上の電子部品は、ヒレ部によって絶縁された状態となり、ストロボ装置を作動させる大電流・高電圧ラインから電流がショートすることを防止できる（例えば特許文献１）。
【特許文献１】特開２００２−２２３０４５号公報
【発明の開示】
【発明が解決しようとする課題】
【０００５】
フレキシブル基板は、一般的に、図４に示すように、ポリイミドなどの絶縁材料からなるベース層１の表裏面に、銅箔などの金属材料からなる導電層２が積層され、両導電層２上にポリイミドなどの絶縁材料からなりカバーレイ層と呼ばれる絶縁層３が積層された多層構造となっている。この多層構造のフレキシブル基板は、所定の境域が電子部品を実装する実装部とされ、他の境域が前記のヒレ部のような絶縁部とされる。
【０００６】
そして、大電流・高電圧ラインを流れる高圧電流が電子部品にショートしないようにするため、実装部と絶縁部との境界線で曲げられ、絶縁部が電子部品を覆うようにされている。
【０００７】
しかしながら、このような構成のフレキシブル基板は、ベース層１、導電層２および絶縁層３からなる多層構造のため、所定の形状に曲げることが困難となるだけでなく、展開した状態に戻ろうとする力が生じるため、フレキシブル基板を曲げた状態でストロボ装置のケース内に収納しにくくなり、作業性が悪いものとなる。
【０００８】
逆に、フレキシブル基板が曲がりやすいように各層を薄く形成すると、中間に導電層２が積層されていることから、絶縁性を十分に確保できないことがある。
【０００９】
また、フレキシブル基板の境域上に実装された電子部品がケース内の突出部などに引っ掛からないようにして収納するため、絶縁部が電子部品を覆うようにしてケース内に収納するようにすることが好ましいが、絶縁層３が厚く、フレキシブル基板が展開した状態に戻ろうとする力が生じると、絶縁部が電子部品を覆った状態でフレキシブル基板および電子部品をケース内に収納することが困難となる。
【００１０】
そこで、本発明は、絶縁性を確実に確保しつつ、容易に曲げることができるようにしたストロボ装置などの電子機器およびこれに用いるフレキシブル基板を提供することを課題とする。
【課題を解決するための手段】
【００１１】
本発明に係る電子機器は、電子部品を実装する境域の実装部と、該電子部品を実装しない境域の絶縁部とが連続して一体に形成され、前記絶縁部が前記実装部に実装された電子部品を覆うように前記実装部と前記絶縁部との境界線で曲げられるフレキシブル基板をケース内に収納した電子機器であって、前記フレキシブル基板の前記実装部が導電層と絶縁層との積層体からなり、前記絶縁部が絶縁層のみの単層からなることを特徴としている。
【００１２】
この電子機器によれば、フレキシブル基板の絶縁部が、実装部に実装された電子部品を覆っているので、この電子部品は、ケースもしくはケース内のその他各種部品に対して電気的に絶縁される。したがって、小型化が著しい今日の各種電子機器において、ケース内部で電流がショートするようなことがなく、安全で高品質な電子機器を提供できる。また、電子部品が絶縁部により覆われていることにより、フレキシブル基板をケースに収納する際、電子部品がケース内の突出部に引っ掛かることがなくなり、電子機器の組立作業性が向上する。また、フレキシブル基板の絶縁部は、絶縁層のみの単層からなっているので、導電層を有する積層体よりも絶縁性を高めることができ、また、薄く成形できることから、曲げやすく、しかも、展開した状態に戻りにくくすることができる。
【００１３】
本発明に係る電子機器に用いるフレキシブル基板は、電子部品を実装する境域の実装部と、電子部品を実装しない境域の絶縁部とが連続して一体に形成され、前記絶縁部が前記実装部に実装された電子部品を覆うように前記実装部と前記絶縁部との境界線で曲げられるフレキシブル基板であって、前記実装部が導電層と絶縁層との積層体からなり、前記絶縁部が絶縁層のみの単層からなることを特徴としている。
【００１４】
この電子機器に用いるフレキシブル基板によれば、絶縁部が導電層を有しない絶縁層のみの単層とされることにより、導電層を有する積層体よりも絶縁性を高めることができ、また、薄く成形されることから、曲げやすく、しかも、展開した状態に戻りにくくすることができる。また、絶縁部が実装部に実装された電子部品を覆うことにより、電子部品は外部から絶縁され、安全で高品質な電子機器を提供できる。
【発明の効果】
【００１５】
本発明の電子機器およびこれに用いるフレキシブル基板によれば、フレキシブル基板が、電子部品を実装する境域の実装部と、電子部品を実装しない境域の絶縁部とを連続して一体に形成したものであり、前記実装部が導電層と絶縁層との積層体からなり、前記絶縁部が絶縁層のみの単層からなる構成とされ、絶縁部は導電層を有さないことから、絶縁性を確実に確保することができ、また、絶縁部は単層で構成されていることから、曲げやすく、展開した状態に戻りにくいようにすることができる。
【００１６】
したがって、絶縁部が実装部に実装された電子部品を覆った状態でケース内に収納することができるため、小型化が著しい今日の各種電子機器において、電子部品がケース内の突出部に引っ掛かることがなく、生産性を向上させることができることから、コストダウンを図ることが可能となる。また、実装部に実装された電子部品は、ケース内に収納された状態において、絶縁部によって高電圧の電流が流れる部品と絶縁されるため、誤動作が生じず、また、長寿命化を図ることができる。
【発明を実施するための最良の形態】
【００１７】
本発明に係る電子機器およびこれに用いるフレキシブル基板の一実施形態について、図１ないし図４を参照しながら説明する。なお、従来と同一部分は、同一符号を付して説明する。また、この実施形態では、電子機器としてストロボ装置を例に挙げて説明する。
【００１８】
本実施形態のストロボ装置に用いるフレキシブル基板は、図１に示すように、電子部品４を実装する境域の実装部５と、電子部品４を実装しない境域の絶縁部６とが連続して一体に形成されている。電子部品４は、トリガーコイル４ａ、ＩＧＢＴトランス、抵抗などのチップ部品のように種類を特定するものではないが、トリガーコイル４ａは一つの実装部５に単独で実装される。
【００１９】
そして、実装部５は、従来と同様、図４に示すように、ポリイミドなどの絶縁材料からなるベース層１の表裏面に、銅箔などの金属材料からなる導電層２が積層され、両導電層２上にポリイミドなどの絶縁材料からなりカバーレイ層と呼ばれる絶縁層３が積層された多層の積層体によって構成されている。ただし、ベース層１と絶縁層３は、ポリイミド以外の絶縁材料で成形することもできるし、ベース層１または絶縁層３の何れか一方のみポリイミドによって成形することもできる。
【００２０】
一方、絶縁部６は、例えば、絶縁性に優れているポリイミドその他の絶縁材料のみによって成形される単層によって構成されている。そして、絶縁部６は、単層によって構成されることにより、多層の実装部５よりも薄くなり、しかも、導電層２が積層されていないことから、曲げやすいものとなっている。
【００２１】
そして、このフレキシブル基板は、複数（図面では４つ）の実装部５と、複数（図面では２つ）の絶縁部６とが連続して一体に成形されている。各絶縁部６は、異なる実装部５に連続し、各実装部５同士および実装部５と絶縁部６との境界線８は、折曲げ線または撓曲線とされる。また、実装部５の片面には、ガラスエポキシ樹脂からなる補強板７が貼り付けられている（図３参照）。
【００２２】
このように構成されたフレキシブル基板は、電子部品４が実装部５に実装された後、図２に示すように（図２では電子部品４および補強板７を図示せず）、折り曲げられ、または撓曲されることにより、２つの絶縁部６が実装部５に実装された電子部品４を覆うような状態とされる。このフレキシブル基板は、絶縁部６が例えばポリイミドからなる単層とされていることから、折曲げ線および撓曲線で曲がりやすく、しかも、展開した状態に戻りにくくなっている。
【００２３】
このようなフレキシブル基板は、図３に示すように、ストロボ装置のケース９の狭い空間部内に収納され、組み付けられる。このとき、フレキシブル基板は、折り曲げ線に沿う形でケース９に収納されるとともに、一方の絶縁部６が実装部５に実装された電子部品４を覆った状態となっているため、この電子部品４がケース９内の突出部１０に引っ掛からず、スムーズに収納することができる。
【００２４】
また、ケース９内には、閃光放電管１１と、この閃光放電管１１のほぼ半周を取り囲む樋形状の反射傘１２とが組み付けられている。そして、フレキシブル基板の他方の絶縁部６が、実装部５に実装された電子部品４と反射傘１２との間に位置する。この絶縁部６は、反射傘１２の曲面に沿うように、中間部分でわずかに折り曲げられている。また、実装部５に実装されたトリガーコイル４ａは、シールド板１３によって反射傘１２と絶縁されている。
【００２５】
このようにストロボ装置のケース９内に収納されたフレキシブル基板に実装されている電子部品４は、反射傘１２との間に絶縁部６が介在していることにより、電子部品４と反射側１２とが絶縁され、反射傘１２に流れる高電圧の電流が電子部品４にショートすることがない。そのため、ストロボ装置の誤動作が生じることがなく、また、ストロボ装置は、長期間にわたって正常に使用することができる。
【００２６】
なお、本発明は、前記実施の形態に限定することなく、特許請求の範囲に記載した技術的事項の範囲内において種々変更することができる。例えば、上記フレキシブル基板において、実装部５と絶縁部６とは、図示したような位置関係に限定することなく配置することができることはいうまでもない。また、このフレキシブル基板は、上記のストロボ装置以外に、カメラ本体のケースなど、狭い空間部内に収納する各種電子機器にも使用することができる。
【産業上の利用可能性】
【００２７】
本発明は、実装部に実装された電子部品を、絶縁部によって閃光放電管などの部品に流れている高電圧の電流から完全に絶縁することができ、また、絶縁部が曲げられて電子部品を覆うようにしてケース内に収納することが容易となるため、ケース内に高電圧の閃光放電管などを収納したストロボ装置などに組み込む用途として有用となる。
【図面の簡単な説明】
【００２８】
【図１】本発明に係るストロボ装置に用いるフレキシブル基板の一実施形態を示す平面図
【図２】本発明に係るストロボ装置に用いるフレキシブル基板の一実施形態であって、曲げた状態を示す概略斜視図
【図３】本発明に係るストロボ装置の一実施形態を示す正面断面図
【図４】フレキシブル基板の実装部を示す概略正面断面図
【符号の説明】
【００２９】
２  導電層
３  絶縁層
４  電子部品
５  実装部
６  絶縁部
８  境界線
【図１】
2006013275.tif 000003
【図２】
2006013275.tif 000004
【図３】
2006013275.tif 000005
【図４】
2006013275.tif 000006